(57)【要約】      （修正有）【課題】開示の財布は、収納するカード類よりも小さく、コンパクト化を図る一方、収納物を明確に確認でき、容易に硬貨・紙幣を選別して取り出すことができる。【解決手段】開示の財布１は、カードよりも小さく、全体の略半分の大きさを占めるフラップ状の蓋６と、外側下部に配置され、深さがカード短辺の半分乃至３分の２程度、幅がカード長辺程度の大きさに形成されるポケットと、内側下部奥側に配置され、深さが二つ折りした紙幣３６の３分の１乃至半分程度、幅が二つ折りした紙幣程度の大きさに形成され、紙幣を二つ折りにした状態で収納するポケット１６と、内側下部手前側に配置され、厚みが硬貨数枚分の大きさに形成され、硬貨３８を収納するポケット２２と、を有し、蓋を閉じたとき、収納された硬貨が脱落することを防止するように蓋がポケット開口部３０を覆い、全体が蓋と同程度の大きさとなることを特徴とする。【選択図】図４
2018050915.tif 000002
【特許請求の範囲】
【請求項１】
上部に配置されると共に、クレジットカードよりも小さく形成され、全体の略半分の大きさを占めるフラップ状の蓋と、
外側下部に配置されると共に、深さがクレジットカード短辺の半分乃至３分の２程度の大きさに形成され、クレジットカードを挟み込んで収納する第１ポケットと、
内側下部奥側に配置されると共に、深さが二つ折りした紙幣の３分の１乃至半分程度の大きさに形成され、該紙幣を二つ折りにした状態で挟み込んで収納する第２ポケットと、
内側下部手前側に配置されると共に、厚みが硬貨数枚分の大きさに形成され、該硬貨を収納する第３ポケットと、を有し、
前記蓋を閉じたとき、収納された前記硬貨が前記第３ポケットから脱落することを防止するように前記蓋が前記第３ポケットの開口部を覆い、全体の大きさが前記蓋の大きさと同程度となることを特徴とする小型財布。
【請求項２】
前記第１ポケットが、該第１ポケットの上部、かつ、中央よりも右側又は左側に寄った位置に配置されるスリットを備えることを特徴とする請求項１に記載の小型財布。
【請求項３】
前記蓋の上部及び当該小型財布の下部に、当該小型財布の閉状態を維持するための係止め機構が配置されることを特徴とする請求項１又は２に記載の小型財布。
【請求項４】
前記第２ポケットの手前側部材と前記第３ポケットの奥側部材とが共通することを特徴とする請求項１乃至３の何れか一に記載の小型財布。
【請求項５】
前記第２ポケットに収納された前記二つ折りした紙幣が、前記蓋を閉じたとき、該蓋と共に折れ曲がり、前記第３ポケットの開口部を覆うことを特徴とする請求項１乃至４の何れか一に記載の小型財布。
【発明の詳細な説明】
【技術分野】
【０００１】
小型の財布の技術に関する。
【背景技術】
【０００２】
財布を形状で分類すれば、長財布や折財布（二つ折り財布等）等がある。
【０００３】
一方で、収納する物品（紙幣、硬貨、カード類等）を限定したもので、持ち歩きに便利であり、日常の“ちょっとした支払い”に利用する小型財布と呼ばれるものもある。
例えば、特許文献１では、被服のポケットなどに簡単に収まり、持ち運びに便利な小型財布が提案されている。
【先行技術文献】
【特許文献】
【０００４】
【特許文献１】実用新案登録第３１７９２３７号公報
【発明の概要】
【発明が解決しようとする課題】
【０００５】
しかしながら、従来技術においては、小型財布といえどもクレジットカードなどカード類を収納することができるものは、その外形がカード類よりも大きくなってしまい、携帯性という点では難点を有する。
【０００６】
また、従来技術においては、財布のコンパクト化と引き換えに、収納物の視認容易性が乏しくなり、硬貨・紙幣を選別して取り出すことが困難であるという問題点を有する。
【０００７】
そこで本発明では、上記問題点に鑑み、収納するカード類よりも小さく、コンパクト化を図る一方、収納物を明確に確認でき、容易に硬貨・紙幣を選別して取り出すことができる小型財布を提供することを目的とする。
【課題を解決するための手段】
【０００８】
開示する小型財布の一形態は、上部に配置されると共に、クレジットカードよりも小さく形成され、全体の略半分の大きさを占めるフラップ状の蓋と、外側下部に配置されると共に、深さがクレジットカード短辺の半分乃至３分の２程度の大きさに形成され、クレジットカードを挟み込んで収納する第１ポケットと、内側下部奥側に配置されると共に、深さが二つ折りした紙幣の３分の１乃至半分程度の大きさに形成され、該紙幣を二つ折りにした状態で挟み込んで収納する第２ポケットと、内側下部手前側に配置されると共に、厚みが硬貨数枚分の大きさに形成され、該硬貨を収納する第３ポケットと、を有し、前記蓋を閉じたとき、収納された前記硬貨が前記第３ポケットから脱落することを防止するように前記蓋が前記第３ポケットの開口部を覆い、全体の大きさが前記蓋の大きさと同程度となることを特徴とする。
【発明の効果】
【０００９】
開示する小型財布は、収納するカード類よりも小さく、コンパクト化を図る一方、収納物を明確に確認でき、容易に硬貨・紙幣を選別して取り出すことができる。
【図面の簡単な説明】
【００１０】
【図１】本実施の形態に係る小型財布（開状態）の外側を示す背面図である。
【図２】本実施の形態に係る小型財布（開状態）の内側を示す正面斜視図である。
【図３】本実施の形態に係る小型財布（開状態、使用時）の外側を示す背面図である。
【図４】本実施の形態に係る小型財布（開状態、使用時）の内側を示す正面斜視図である。
【図５】本実施の形態に係る小型財布（閉状態、使用時）の背面図である。
【図６】本実施の形態に係る小型財布（閉状態、使用時）の正面図である。
【発明を実施するための形態】
【００１１】
図面を参照しながら、本発明を実施するための形態について説明する。
（本実施の形態に係る小型財布の構造）
【００１２】
図１乃至６を用いて、本実施の形態に係る小型財布（以下、単に「財布」という。）１の構造について説明する。財布１は、収納する物品を少量の紙幣３６、硬貨３８及びカード類（クレジットカード等）３４に限定しコンパクト化を図ることによって、持ち歩き時の携帯性や日常の“ちょっとした支払い”時の利便性を向上させた財布である。
図１及び２で示すように、財布１は、蓋６、第１ポケット８、第２ポケット１６、第３ポケット２２、係止め機構３２を有する。
【００１３】
図１及び２で示すように、蓋６は、財布１の上部に配置されると共に、一般的なクレジットカード３４の大きさよりも小さく形成され、財布１全体の略半分の大きさを占める部位である。蓋６は、フラップ（垂れ蓋）状の蓋部材であり、蓋６を閉じ、財布１を二つ折りにし閉状態とするときに使用する部材である。なお、後述するように、蓋６を閉じた閉状態の財布１の大きさは、蓋６を開けた開状態の財布１の大きさの半分程度である。
【００１４】
図１及び３で示すように、第１ポケット８は、財布１の外側２下部に配置されると共に、深さ１０がクレジットカード３４短辺の半分〜３分の２程度、幅１２がクレジットカード３４長辺程度の大きさに形成される部位である。第１ポケット８は、カード類３４を挟み込んで、容易に脱落しないような状態で収納するための部位である。第１ポケット８に収納できるカード類３４は、１枚とすることが好適である。カード類３４は、クレジットカード、キャッシュカード、定期券、ポイントカード等何れでも良く、その大きさは長辺８．５ｃｍ程度、短辺５．４ｃｍ程度である。ただし、第１ポケット８に収納されるカード類３４の種類、大きさ、枚数は、これに限定されるものではない。
【００１５】
支払いの手順を考えると、カード類３４の受け渡しは、買い物の最初又は最後の動作になり、当該動作をスムーズに行うことができるように、カード類３４を収納する第１ポケット８は財布１の外側２に配置する。
【００１６】
図１、３及び５で示すように、第１ポケット８は、第１ポケット８の上部、かつ、中央よりも右側又は左側に寄った位置に配置されるスリット１４を有する。なお、図１、３及び５では、スリット１４が第１ポケット８の上部、かつ、中央よりも左側に寄った位置に配置される形態を図示している。スリット１４は、財布１の使用者が親指等を使って、収納したカード類３４の取出し動作を容易に行うことができるようにするための部位である。
【００１７】
図２及び４で示すように、第２ポケット１６は、財布１の内側４下部奥側に配置されると共に、深さ１８が二つ折りした紙幣３６の３分の１〜半分程度、幅２０が二つ折りした紙幣３６と同程度の大きさに形成される部位である。第２ポケット１６は、紙幣３６を二つ折りにした状態で挟み込んで、容易に脱落しないような状態で収納するための部位である。紙幣３６は、１万円札、５千円札、二千円札、千円札等何れでも良いし、外国の紙幣でも良い。
【００１８】
支払い時の紙幣３６の受け渡し動作のスムーズさ、紙幣３６を収納する財布の大きさ（収納時の紙幣３６の大きさ）というトレードオフの関係にある条件の最適解として、紙幣３６を二つ折りにして収納する第２ポケット１６の上記仕様を案出した。
【００１９】
図２及び４で示すように、第３ポケット２２は、財布１の内側４下部手前側に配置されると共に、深さ２４及び幅２６が第２ポケット１６と同程度であり、厚さ（奥行き）２８が硬貨３８数枚分の大きさに形成される部位である。第３ポケット２２の上部には開口部３０が形成される。第３ポケット２２は、内部に硬貨３８を収納するための部位であり、第３ポケット３８に収納された硬貨３８は、第３ポケット３８内部をある程度自在に移動できる。硬貨３６は、五百円、百円、五十円、十円、五円、一円等何れでも良いし、外国の硬貨でも良い。
【００２０】
第３ポケット２２は、小銭入れであるが、第３ポケット２２自体に第３ポケット２２を閉じるためのファスナーやフラップはなく、上方から隅々まで見易い開口構造となっている。ただし後述するように、財布１を閉状態としたとき、第３ポケット２２の開口部３０を蓋６が上から覆うことによって、内部に収納した硬貨３８が容易に脱落しないような構造となっている。
図２及び４で示すように、第２ポケット１６の手前側構成部材と第３ポケット２２の奥側構成部材とは、共通の部材で形成される。
【００２１】
図１乃至４で示すように、係止め機構３２は、係止めされる雄部及び雌部の２つの部位で構成され、一方が蓋の上部に、他方が財布１の下部にそれぞれ配置される。係止め機構３２は、雄部及び雌部が係止めされることによって、財布１の閉状態を維持するための機構である。図１乃至６で示すように、係止め機構３２は、ホック部材で実現される他、マグネット、線ファスナー、面ファスナー等、他の形態で構成しても良い。
【００２２】
図５及び６で示すように、係止め機構３２を利用して蓋６を閉じ、財布１を閉状態としたとき、蓋６が第３ポケット２２の開口部３０を覆って、収納された硬貨３８が第３ポケット２２から脱落することを防止する。
【００２３】
図５及び６で示すように、財布１は、略真ん中から折り曲げ、２つ折りにして閉状態とすることができるが、閉状態の財布１の大きさは、開状態の財布１の大きさの略半分となる。つまり、閉状態の財布１の大きさは、蓋６の大きさと同程度であり、一般的なクレジットカード３４の大きさよりも小さくなる。
（本実施の形態に係る小型財布の使用方法）
【００２４】
図３乃至６を用いて、財布１の使用方法について説明する。図３で示すように、財布１の使用者は、財布１にカード類３４を収納するとき、外側２に配置される第１ポケット８にクレジットカード等のカード類３４を挿し込むことによって、第１ポケット８にカード類３４を収納する。
【００２５】
図４で示すように、財布１の使用者は、財布１に紙幣３６を収納するとき、内側４に配置される第２ポケット１６に紙幣３６を二つ折りにした状態で挿し込むことによって、第２ポケット１６に紙幣３６を収納する。
【００２６】
図４で示すように、財布１の使用者は、財布１に硬貨３８を収納するとき、内側４に配置される第３ポケット２２に硬貨３８を投入することによって、第３ポケット２２に硬貨３８を収納する。なお、硬貨３８の投入方法は特に限定されない。
【００２７】
そして、財布１の使用者は、紙幣３６、硬貨３８の収納を終えた後、蓋６を内側４方向に折り曲げて財布１を閉じ、係止め機構３２を使用して財布１の閉状態を維持させる。使用者は、この状態で財布１を携行する。なお、財布１を閉状態としたとき、第２ポケット１６に収納された紙幣３６は、蓋６内側に接しつつ、蓋６と共に折れ曲がり、第３ポケット２２の開口部３０を覆った状態となる。
【００２８】
図５及び６で示すように、蓋６はクレジットカード３４の大きさよりも小さく形成され、財布１全体の略半分の大きさを占める部位であるため、二つ折りにした（閉状態の）財布１は、クレジットカード３４の大きさよりも小さい。二つ折りにした財布１は、カード類３４を収納した場合、その大きさはクレジットカード３４の大きさと略同等である。このように、財布１はコンパクト化が図られているため、携帯性に富み、持ち運び時の利便性が高い。
【００２９】
図３及び５で示すように、財布１の使用者は、カード類３４を使用するとき、スリット１４の位置にあるカード類３４に親指等を掛け、掛けた親指等の摩擦力を利用し、第１ポケット８からカード類３４を押し出すようにして取り出す。第１ポケット８は外側２に配置されるため、カード類３４の取出しが容易であり、カード類３４を使った支払動作等を容易かつ直ぐに行うことができる。
【００３０】
図４で示すように、財布１の使用者は、紙幣３６を使用するとき、係止め機構３２の雄部・雌部を引き離して財布１の閉状態を解除し、第２ポケット１６から二つ折りした紙幣３６を取り出す。取り出した紙幣３６は二つ折りの状態であるため、紙幣３６の展開が容易であり、紙幣３６を使った支払動作を容易かつ直ぐに行うことができる。
【００３１】
図４で示すように、財布１の使用者は、硬貨３８を使用するとき、係止め機構３２の雄部・雌部を引き離して財布１の閉状態を解除し、第３ポケット２２から硬貨３８を取り出す。第３ポケット２２は、立体的な形状を成し開口部３０を備えているため、収納された硬貨３８全体を一目で確認することができる。そのため、支払いに必要な硬貨３８の特定・取り出しが容易であり、硬貨３８を使った支払動作を容易かつ直ぐに行うことができる。
【００３２】
財布１は、開状態とすることによって、収納した紙幣３６・硬貨３８を一覧することができ、容易に硬貨３６・紙幣３８を選別して取り出すことができるため、支払動作を容易かつ直ぐに行うことができる。
【００３３】
主の財布は別に用意し、従の財布である財布１に必要最小限の現金、例えば、１日に使用する分の現金を財布１に入れ、それを１日の中でやり繰りすることによって、お金の無駄遣いを防ぎ、節約に繋げることができる。
【００３４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３５】
１    財布
２    財布の外側
４    財布の内側
６    蓋
８    第１ポケット
１０  第１ポケットの高さ
１２  第１ポケットの幅
１４  第１ポケットのスリット
１６  第２ポケット
１８  第２ポケットの高さ
２０  第２ポケットの幅
２２  第３ポケット
２４  第３ポケットの高さ
２６  第３ポケットの幅
２８  第３ポケットの厚さ
３０  第３ポケットの開口部
３２  係止め機構
３４  カード類（クレジットカード等）
３６  （二つ折りした）紙幣
３８  硬貨
【図１】
2018050915.tif 000003
【図２】
2018050915.tif 000004
【図３】
2018050915.tif 000005
【図４】
2018050915.tif 000006
【図５】
2018050915.tif 000007
【図６】
2018050915.tif 000008